(57)【要約】【課題】電子機器のカードスロットの小型化に伴い、情報記録カードを取り出す操作が不便になること。【解決手段】本発明の電子機器は、ＵＩＭカード３０１と、ＵＩＭカード３０１を受容して機器本体に電気接続および固定するカードスロット２０１とを有する。カードスロット２０１は、ＵＩＭカード３０１を所定の差込向きで差し込むことで、ＵＩＭカード３０１の装着が完了する形である。そしてカードスロット２０１は、ＵＩＭカード３０１を取り出す機能および器具を具備していない。さらにカードスロット２０１は、ＵＩＭカード３０１が装着完了された状態でＵＩＭカード３０１の表側面の差込方向手前側を露出させる部分を有している。また、上記の部分から露出する、ＵＩＭカード３０１の表側面の差込方向手前の場所に、カード取り出しに用いるフィルム状の帯５０１の一端が固定されている。【選択図】図７
2012147309.tif 000002
【特許請求の範囲】
【請求項１】
情報記録カードと、該情報記録カードを受容して機器本体に電気接続および固定するカードスロットとを有する電子機器であって、
前記カードスロットは、前記情報記録カードを所定の差込向きで差し込むことで、前記情報記録カードの装着が完了する形であり、装着完了した前記情報記録カードをロックする機能および排出する機能を具備しておらず、かつ、前記情報記録カードが前記カードスロットに装着完了された状態で前記情報記録カードの表側面の差込方向手前側を露出させる部分を有し、
前記部分から露出する前記情報記録カードの表側面の差込方向手前の場所に、前記情報記録カードの取り出しに用いる帯の一端が固定されていることを特徴とする電子機器。
【請求項２】
前記帯は、前記場所から前記情報記録カードの差込方向手前側の方向へ延出していることを特徴とする請求項１に記載の電子機器。
【請求項３】
前記情報記録カードは、前記情報記録カードの差込方向奥側の位置で前記表側面とは反対の裏側面に端子部を有しており、
前記帯の一端は、前記裏側面の前記端子部に対向している前記表側面の領域から外れた位置に固定されていることを特徴とする請求項１または２に記載の電子機器。
【請求項４】
前記情報記録カードは、ＩＣカード全般もしくはメモリカードであることを特徴とする請求項１から３のいずれか１項に記載の電子機器。
【請求項５】
前記電子機器は携帯電話機であって、前記情報記録カードはＵＩＭカードであることを特徴とする請求項１から４のいずれか１項に記載の電子機器。
【請求項６】
請求項１から３のいずれか１項に記載の電子機器に使用される情報記録カード。
【発明の詳細な説明】
【背景技術】
【０００１】
カード形の情報記録媒体として、ＳＩＭ（Subscriber Identity Module）、ＵＩＭ（User Identity Module）、放送用Ｂ−ＣＡＳなどのＩＣカード全般や、ＳＤカード等のメモリカードが知られており、これらのカードは、電子機器に設けられたカードスロットに挿入されることで電子機器に電気的に接続および固定される場合が多い。
【０００２】
例えば、ＵＩＭカードまたは、ＵＳＩＭカード（Universal Subscriber Identity Module Card）は、Ｗ−ＣＤＭＡ（ＵＭＴＳ）方式用の携帯電話機に用いられるＩＣカードであり、電話番号を特定するための固有のID番号が記録されている。ＳＩＭカードと呼ばれることもあるが、これらのＩＣカードを、以後「ＵＩＭカード」に統一して記載する。
【０００３】
ＵＩＭカードには、電話番号などの個人情報が記録されているため、ＵＩＭカードを交換することで別の携帯電話機でも利用することができる。
【０００４】
昨今の携帯電話機を複数台所持するユーザが増え、その日の気分や用途に合わせて、携帯電話機を使い分けている。そのため、頻繁にＵＩＭカードの差し替えを行うユーザが増えている。
【０００５】
このような情報記録カードをカードスロットに容易に挿抜する構成は、特許文献１ないし３等にも提案されている。
【先行技術文献】
【特許文献】
【０００６】
【特許文献１】特開２００４−２２２１７０号公報
【特許文献２】実開平０７−０１０９００号公報（段落［０００６］参照）
【特許文献３】特開２００３−００６６０３号公報（段落［００３５］、［００４３］参照）
【発明の概要】
【発明が解決しようとする課題】
【０００７】
携帯電話機に代表される携帯端末は近年、小型化が進み、これに伴い、各構成部品が小型化している。携帯電話機では、ＵＩＭカードが挿入されるカードスロットが小型化している。
【０００８】
特許文献１では、ＵＩＭカードを取り出すトレイ等の補助器具が提案されているが、機器の小型化のために、上記のトレイや取り出し補助機能を機器内に設けることが出来なくなっている。
【０００９】
そのため、ＵＩＭカードの取り出し操作が非常に不便になっている。
【００１０】
また、取り出し操作の際に、小型化しているカードスロットの壁に余計な力を加えてしまったり、ＵＩＭカードの端子面を手で触って皮脂を付けてしまい、接触不良の原因にもなっていた。
【００１１】
また特許文献２では、メモリカードの構造として「抜去用突出把握片」が開示されている。しかし、この抜去用突出把握片は、このメモリカード専用の読み出し機にのみに有効に機能するだけである。つまり、既存のメモリカード及びICカードや、これらの一般的な読み出し機に対して適用することは考慮されていない。
【００１２】
また特許文献３は、特定の通信カードにおいて、その使用時にカードスロットからはみ出すアンテナ部分の強度に関する発明を開示し、アンテナ部分を利用して引き出すことが可能とされている。しかし、このカードは、特許文献３に記載されている特定のデバイスのみでの使用が前提とされており、既存のメモリカード及びICカードや、これらの一般的な読み出し機に対して適用することは考慮されていない。
【００１３】
本発明の目的の一つは、上記従来技術の実情に鑑み、電子機器のカードスロットから情報記録カードを取り出す操作を容易にすることである。
【課題を解決するための手段】
【００１４】
本発明の一態様は、情報記録カードと、該情報記録カードを受容して機器本体に電気接続および固定するカードスロットとを有する電子機器に係るものである。このカードスロットは、情報記録カードを所定の差込向きで差し込むことで、情報記録カードの装着が完了する形である。そして、上記カードスロットは、情報記録カードをロックする機能および排出する機能を具備していない。さらに上記カードスロットは、情報記録カードが装着完了された状態で情報記録カードの表側面の差込方向手前側を露出させる部分を有している。また、情報記録カードがカードスロットに装着完了したときに上記の部分から露出する、情報記録カードの表側面の差込方向手前の場所に、情報記録カードの取り出しに用いる帯の一端が固定されている。
【発明の効果】
【００１５】
本発明によれば、電子機器のカードスロットから情報記録カードを取り出す操作を容易にすることが出来る。
【図面の簡単な説明】
【００１６】
【図１】本発明の一実施例による携帯電話機の構成要素を示すブロック図。
【図２】本発明の一実施例による携帯電話機におけるＵＩＭカードスロットの配置場所を示す図。
【図３】図２のＵＩＭカードスロットに差し込むＵＩＭカードを示す図。
【図４】図３のＵＩＭカードを図２の携帯電話機のＵＩＭカードスロットに差込んだイメージを示す図。
【図５】図３のＵＩＭカードに取り付けるフィルム状の帯を示す図。
【図６】図３のＵＩＭカードへの帯の取り付け場所を示す図。
【図７】フィルム状の帯が取り付けられたＵＩＭカードを、携帯電話機のＵＩＭカードスロットに差込んだ状態を示す図。
【図８】本発明の他の実施例として、クレジットカード状に製造された未使用の新規なＵＩＭカードを示す図。
【図９】図８に示すクレジットカード状の未使用のＵＩＭカードにフィルム状の帯を取り付けた状態を示す図。
【発明を実施するための形態】
【００１７】
以下、本発明の実施の形態について図面を参照して説明する。ここでは、ＵＩＭカードと、これを受容して電気的に接続および固定するカードスロットを備えた携帯電話機を例にとって説明する。
【００１８】
図１において、本発明の一実施例として携帯電話機の構成要素をブロック図で示す。本例の携帯電話機の制御部１０２は、表示部１０１、ＵＩＭスロット１０３、無線通信部１０４、送受話部１０５、キー操作部１０６、カメラ部１０７、および記憶部１０８と繋がっている。ＵＩＭスロット１０３は、ＵＩＭカードを受容して制御部１０２と電気的に接続および固定するカードスロットである。表示部１０１は、キー制御部１０６からの指示により、記憶部１０８に保存された各種データを表示する。無線通信部１０４は、制御部１０２を介して、ＵＩＭスロット１０３に挿入されているＵＩＭカードの情報を利用し、ネットワークサーバ(図示せず)とのデータ通信を行う。送受話部１０５は、制御部１０２の制御により、音声通話機能を実現する。
【００１９】
図２に、本実施例の携帯電話機におけるＵＩＭカードスロットの配置場所を示す。電話機本体の裏側にバッテリ収納スペース２０３が凹状に形成されている。バッテリ収納スペース２０３を普段はバッテリカバー２０２で覆われる。バッテリカバー２０２は、電話機本体の裏側のバッテリ収納スペース２０３を囲む側壁に接合可能となっている。そのバッテリカバー２０２が接合する一部の側壁の上面にＵＩＭカードスロット２０１の一部が見えるように開口し、ＵＩＭカードスロット２０１の残りの部分は電話機本体の内部へ隠れるように形成されている。電話機本体内に隠れたＵＩＭカードスロット２０１の奥側部分の底面には、ＵＩＭカード読み取り端子２０４が配置されている。
【００２０】
ＵＩＭカードの端子を有する面をＵＩＭカードスロット２０１の底面に合わせるように、矢印２０５の方向にＵＩＭカードを差込むことで、ＵＩＭカードスロット２０１は、カード装着完了状態となる。尚、ＵＩＭカードスロット２０１は、装着完了したＵＩＭカードをロックする機能および、該スロットから排出させるためのイジェクト機能を具備しないものである。またＵＩＭカードスロット２０１のＵＩＭカードが差し込まれる空間の寸法は、ＵＩＭカード裏側面の端子部とＵＩＭカードスロット２０１底面のＵＩＭカード読み取り端子２０４とが圧接されるように設計されている。
【００２１】
また、ＵＩＭカードスロット２０１のカード挿入口がバッテリ収納スペース２０３の側面に配置されているため、バッテリをバッテリ収納スペース２０３から外した状態でないと、ＵＩＭカードの抜き指しが出来ない構造になっている。バッテリカバー２０２は、矢印２０６の方向にて電話機本体の裏側に取り付けられる。
【００２２】
図３に、図２のＵＩＭカードスロット２０１に差し込むＵＩＭカードを示す。図３（ａ）はＵＩＭカードの表側面を、図３（ｂ）はＵＩＭカードの裏側面を示している。ＵＩＭカード３０１の表側面にはＵＩＭカード端子部３０２が無いが、ＵＩＭカード３０１の裏側面にはＵＩＭカード端子部３０２がある。ＵＩＭカード３０１は四角形のカードであるが、ＵＩＭカード３０１のカードスロットへの差込時に手前側（矢印３０４の方向）となる端部には、角が無い部分３０３（すなわち面取り部）がある。ＵＩＭカード３０１のカードスロットへの差込時に奥側（矢印３０５の方向）となる端部には、ＵＩＭカード端子部３０２がある構成になっている。
【００２３】
図４に、前述したＵＩＭカード３０１を携帯電話機のＵＩＭカードスロット２０１に差込んだイメージを示す。ＵＩＭカード３０１の大部分は、機器本体内部のＵＩＭカードスロット２０１内に隠れ、ＵＩＭカード３０１の差込方向の手前部分のみが露出した状態になる。この状態からＵＩＭカード３０１を取り出すことは、携帯電話機の小型化に伴ってＵＩＭカードスロットも小型になるほど非常に不便になる。また、ＵＩＭカード３０１の取り出し操作が不便になると、取り出し操作の際にカードスロットに余計な力が付与される。さらに、手で端子部を触って皮脂をつけてしまい接触不良の原因にもなる。
【００２４】
そこで、以下に説明するように、ＵＩＭカード３０１にフィルム状の帯を取り付けて、ＵＩＭカードの取り出し操作を容易にする。
【００２５】
図５に、本実施形態のＵＩＭカード３０１に取り付けるフィルム状の帯を示す。図５（ａ）は帯の表側面を、図５（ｂ）は帯の裏側面を示している。フィルム状の帯５０１の片端の裏側面には、粘着材５０２が塗布されており、ＵＩＭカードに貼り付けることが出来る。
【００２６】
図６に、ＵＩＭカード３０１への帯５０１の取り付け場所（図中の斜線部）を示す。帯５０１のＵＩＭカード３０１への取り付け場所６０１は、ＵＩＭカード３０１の差込方向手前部分の表側面になる。換言すれば、ＵＩＭカード３０１の差込方向手前部分であって、ＵＩＭカード端子部３０２が配設されていない側の面である。
【００２７】
図６の取り付け場所６０１に、図５に示したフィルム状の帯５０１を取り付ける。このとき、帯５０１の、粘着材５０２を塗布した端部とは反対側端を、取り付け場所６０１からＵＩＭカード３０１の差込方向手前側の方向へ延出させる。
【００２８】
もしフィルム状の帯５０１をＵＩＭカード３０１の指定外の場所に取り付けた場合、UIMカード自体が規格外の大きさになり、ＵＩＭカードスロット２０１に差込みが出来なくなる。また、指定外の場所に帯５０１が取り付けられたＵＩＭカード３０１をＵＩＭカードスロット２０１に無理に差込むと、ＵＩＭカード端子部３０２とＵＩＭカード読み取り端子２０４とが接触不良を起こし、携帯電話機がリセットされる要因になる。
【００２９】
よって、帯の取り付け場所６０１は、ＵＩＭカード端子部３０２が配置されたＵＩＭカード３０１の裏面の領域に対向しているＵＩＭカード３０１のおもて面側の領域から外れた位置に設定されている。ＵＩＭカードスロット２０１の奥側の、ＵＩＭカード読み取り端子２０４が配置されている空間（図２参照）は、ＵＩＭカード３０１の厚みを想定して設定されている。このため、上記のような帯の取り付け場所６０１にすることで、前記空間に差し込まれる部分のＵＩＭカード３０１の厚みに何も影響を与えることなく、ＵＩＭカード端子部３０２とＵＩＭカード読み取り端子２０４を接続することができる。
【００３０】
図７に、ＵＩＭカード３０１にフィルム状の帯５０１を取り付けて、携帯電話機のＵＩＭカードスロット２０１に差込んだ状態を示す。この状態では、フィルム状の帯５０１は、ＵＩＭカードスロット２０１に干渉しない位置になる。
【００３１】
また、フィルム状の帯５０１の大きさは、携帯電話機の裏面側のバッテリ収納スペース２０３にバッテリ（不図示）を装着した状態でバッテリカバー２０２（図２参照）を閉じることを妨げない帯長さと帯幅と厚みになっている。
【００３２】
帯５０１の粘着材５０２の粘着強度は、ＵＩＭカード３０１に取り付けられた帯５０１を手で掴んで、ＵＩＭカードスロット２０１からＵＩＭカード３０１を引き抜いても、帯５０１がＵＩＭカード３０１から外れない強度とする。図７に示される状態で、ＵＩＭカードスロット２０１からＵＩＭカード３０１を引き抜く際、帯５０１とＵＩＭカード３０１との接着面に対して、垂直に力が加わる。このため、特別に強力な粘着力は必要としない。
【００３３】
本発明では、図７に代表して示されるように、ＵＩＭカードスロット２０１から露出しているＵＩＭカード３０１の表側面に、フィルム状の帯５０１が取り付けられている。これにより、ＵＩＭカードスロット２０１からＵＩＭカード３０１を取り外す際、フィルム状の帯５０１を掴んでＵＩＭカード３０１を容易に引き抜くことが出来る。よって、ＵＩＭカードの取り出し操作が容易になる。
【００３４】
また本発明によれば、ＵＩＭカードスロット２０１からＵＩＭカード３０１を取り出す際、フィルム状の帯５０１を摘むことが出来るので、指に汗や油が付着していても、汗や油を拭き取らずにＵＩＭカード３０１の取り外しを行うことが出来る。
【００３５】
さらに、ＵＩＭカード３０１にフィルム状の帯５０１を取り付けておくことで、ＵＩＭカードスロット２０１から取り外されたＵＩＭカード３０１を再びＵＩＭカードスロット２０１に装着するときに装着向きの間違いを防止することも可能になる。
【００３６】
（その他の実施例）
上記実施例では携帯電話機に使用している状態のＵＩＭカード（図３参照）にフィルム状の帯５０１を後付けする場合の例を示した。しかし、未使用の新規のＵＩＭカードの場合であってもフィルム状の帯５０１を装着することが可能である。
【００３７】
未使用の新規のＵＩＭカードは現在、図８に示すように、使用状態のＵＩＭカードより大きい面積のクレジットカード形状で製造されている。携帯電話機のユーザはクレジットカードからＵＩＭカード部分をくり貫いて使用する。このようなクレジットカードの状態で、図９に示すように、フィルム状の帯５０１をＵＩＭカード３０１の部分における帯取り付け場所６０１に取り付けておくことも可能である。
【００３８】
また、帯５０１の取り付け方法は接着剤を用いた貼り付け以外に、ＵＩＭカードを構成する樹脂材に樹脂フィルムの帯５０１を熱で圧着固定する方法をとっても良い。
【００３９】
また、ＵＩＭカードスロット２０１にＵＩＭカード３０１を差し込む際、ＵＩＭカードスロット２０１の奥側のＵＩＭカード読み取り端子２０４が帯５０１の厚みを許容できるのであれば、ＵＩＭカード端子部３０２が配設されている側のＵＩＭカード面に帯５０１を貼り付けても良い。
【００４０】
加えて、未使用のＵＩＭカードが将来、ＵＩＭカードサイズで製造されるようになった場合は一対の板状プラスチックの間にＩＣを挟みこんで成形することが考えられる。このため、帯５０１の一端をＵＩＭカードの端面より内部に埋め込むように取り付ける方法であってもよい。
【００４１】
また上記実施例では、ＵＩＭカードをＵＩＭカードスロット２０１から引き抜くときに指で掴むことができる部材としてフィルム状の帯５０１を示した。しかし、そのような作用が得られる部材であれば、当該部材はフィルム状の帯で無くてもよい。
【００４２】
なお、上記実施例では、ＵＩＭカードと、これを受容して電気的に接続および固定するカードスロットを備えた携帯電話機を示した。しかし本発明は、上記の実施例に限らず、ＩＣカード全般もしくはメモリカードのような情報記録カードと、これを受容して機器本体に電気的に接続および固定するカードスロットを備えた電子機器全般に適用できるものである。なお、ＳＤカードは、カードスロットに挿入した場合にロックするための形状が施されているので、カードスロット側にロック機構がないことが、本発明の適用条件となる。
【符号の説明】
【００４３】
１０１    表示部
１０２    制御部
１０３    ＵＩＭスロット
１０４    無線通信部
１０５    送受話部
１０６    キー操作部
１０７    カメラ部
１０８    記憶部
２０１    ＵＩＭカードスロット
２０２    バッテリカバー
２０３    バッテリ収納スペース
２０４    ＵＩＭカード読み取り端子
２０５    ＵＩＭカードの差込向き
２０６    バッテリカバーの装着向き
３０１    ＵＩＭカード
３０２    ＵＩＭカード端子部
３０３    角が無い部分
３０４    ＵＩＭカードの差込方向手前側
３０５    ＵＩＭカードの差込方向奥側
５０１    フィルム状の帯
５０２    粘着材
６０１    ＵＩＭカードにおける帯取り付け場所
【図１】
2012147309.tif 000003
【図２】
2012147309.tif 000004
【図３】
2012147309.tif 000005
【図４】
2012147309.tif 000006
【図５】
2012147309.tif 000007
【図６】
2012147309.tif 000008
【図７】
2012147309.tif 000009
【図８】
2012147309.tif 000010
【図９】
2012147309.tif 000011